(57)【要約】【課題】  太陽光発電パネルの成形作業や、再生利用のための作業が容易にできるようにする。太陽光発電パネルの搬送や設置などの取り扱いが容易にできるようにする。【解決手段】  太陽光発電パネル１は、互いに対面し、少なくとも一方が透明体とされる一対の外殻材４，５と、これら両外殻材４，５の間に空間６が生じるようこれら両外殻材４，５の各外縁部の間に介設されるスペーサ７と、空間６を密閉させるよう各外殻材４，５の外縁部とスペーサ７との間に介設されるシール材８と、両外殻材４，５の各内面のうち、少なくともいずれか一方の内面に対し非接着の状態で、空間６に設置される太陽電池９とを備える。非接着とされた外殻材４，５の内面と太陽電池９との間にガス層１１を形成する。【選択図】  図１
2006261230.tif 000002
【特許請求の範囲】
【請求項１】
互いに対面し、少なくとも一方が透明体とされる一対の外殻材と、これら両外殻材の間に空間が生じるようこれら両外殻材の各外縁部の間に介設されるスペーサと、上記空間を密閉させるよう上記各外殻材の外縁部とスペーサとの間に介設されるシール材と、上記両外殻材の各内面のうち、少なくともいずれか一方の内面に対し非接着の状態で、上記空間に設置される太陽電池とを備えたことを特徴とする太陽光発電パネル。
【請求項２】
上記非接着とされた上記外殻材の内面と太陽電池との間にガス層を形成したことを特徴とする請求項１に記載の太陽光発電パネル。
【請求項３】
上記スペーサをパイプ製とし、このスペーサの内部に、上記太陽電池の出力端子部材を収容可能としたことを特徴とする請求項１、もしくは２に記載の太陽光発電パネル。
【請求項４】
上記空間に向けて光を照射する発光体を設けたことを特徴とする請求項１から３のうちいずれか１つに記載の太陽光発電パネル。
【発明の詳細な説明】
【技術分野】
【０００１】
本発明は、互いに対面する一対の外殻材と、これら両外殻材の間に介設される太陽電池とを備えた太陽光発電パネルに関するものである。
【背景技術】
【０００２】
上記太陽光発電パネルには、従来、下記特許文献１に示されるものがある。この公報のものによれば、太陽光発電パネルは、互いに対面する一対の外殻材である透明板と、これら両透明板の間に介設される太陽電池とを備え、これら各透明板と太陽電池の各面とはこれらの間に介設された接着材によりそれぞれ互いに接着されている。
【０００３】
また、上記太陽光発電パネルは、上記太陽電池から延出した出力電線と、この出力電線の出力端子に取り付けられて外部の電気機器の入力端子に接続可能とされるソケットとを備え、上記出力電線の出力端子とソケットとは、上記両透明板と太陽電池とによる組み合わせ体の外方に突出している。
【０００４】
上記太陽光発電パネルの発電作用は、次の如くである。即ち、太陽電池に太陽光線が照射されると、この太陽光線が有する光エネルギーが太陽電池により電気エネルギーに変換される。そして、この電気エネルギーは、上記出力電線などを通して上記した外部の電気機器に出力され、この電気機器が蓄電したり駆動したりするなど作動可能とされる。
【０００５】
【特許文献１】特開２００３−９２４２０号公報
【発明の開示】
【発明が解決しようとする課題】
【０００６】
ところで、上記したように、従来の太陽光発電パネルでは、各透明板と太陽電池の各面とがそれぞれ互いに接着されている。また、これら透明板や太陽電池は面積が大きいものである。このため、上記したように、各透明板と太陽電池の各面とをそれぞれ接着させると、その接着作業は煩雑であり、つまり、上記太陽光発電パネルの成形作業が煩雑になっている。
【０００７】
また、上記太陽光発電パネルの処分時に、これを再生利用しようとする場合、上記各透明板と太陽電池とは材質が異なるため、これらを互いに分離させる分離作業が行なわれる。しかし、上記したように、各透明板と太陽電池の各面とはそれぞれ接着させられているため、上記分離作業は煩雑であり、つまり、上記太陽光発電パネルの再生利用のための作業も煩雑となっている。
【０００８】
更に、上記したように、出力電線の出力端子とソケットとは上記両透明板と多太陽電池とによる組み合わせ体の外方に突出している。このため、例えば、上記太陽光発電パネルを搬送したり構築物の屋根に設置しようとしたりするなどの取り扱い時には、上記ソケットなどが、上記組み合わせ体の外部の物体に容易に接触して破損するおそれを生じる。よって、上記取り扱い時には、上記破損の防止に留意する必要が生じ、その分、上記取り扱いが煩雑になりがちである。
【課題を解決するための手段】
【０００９】
本発明は、上記のような事情に注目してなされたもので、本発明の目的は、太陽光発電パネルの成形作業や、再生利用のための作業が容易にできるようにすることである。
【００１０】
また、本発明の他の目的は、上記太陽光発電パネルの搬送や設置などの取り扱いが容易にできるようにすることである。
【００１１】
請求項１の発明は、互いに対面し、少なくとも一方が透明体とされる一対の外殻材４，５と、これら両外殻材４，５の間に空間６が生じるようこれら両外殻材４，５の各外縁部の間に介設されるスペーサ７と、上記空間６を密閉させるよう上記各外殻材４，５の外縁部とスペーサ７との間に介設されるシール材８と、上記両外殻材４，５の各内面のうち、少なくともいずれか一方の内面に対し非接着の状態で、上記空間６に設置される太陽電池９とを備えたものである。
【００１２】
請求項２の発明は、請求項１の発明に加えて、上記非接着とされた上記外殻材４，５の内面と太陽電池９との間にガス層１１を形成したものである。
【００１３】
請求項３の発明は、請求項１、もしくは２の発明に加えて、上記スペーサ７をパイプ製とし、このスペーサ７の内部に、上記太陽電池９の出力端子部材１３を収容可能としたものである。
【００１４】
請求項４の発明は、請求項１から３のうちいずれか１つの発明に加えて、上記空間６に向けて光を照射する発光体２７を設けたものである。
【００１５】
なお、この項において、上記各用語に付記した符号は、本発明の技術的範囲を後述の「実施例」の項や図面の内容に限定解釈するものではない。
【発明の効果】
【００１６】
本発明による効果は、次の如くである。
【００１７】
請求項１の発明は、互いに対面し、少なくとも一方が透明体とされる一対の外殻材と、これら両外殻材の間に空間が生じるようこれら両外殻材の各外縁部の間に介設されるスペーサと、上記空間を密閉させるよう上記各外殻材の外縁部とスペーサとの間に介設されるシール材と、上記両外殻材の各内面のうち、少なくともいずれか一方の内面に対し非接着の状態で、上記空間に設置される太陽電池とを備えている。
【００１８】
このため、上記太陽光発電パネルの成形作業をするとき、両外殻材の各内面にそれぞれ太陽電池を接着させる、ということは不要となる。よって、その分、太陽光発電パネルの成形作業が容易にできる。
【００１９】
また、上記太陽光発電パネルの処分時に、これを再生しようとする場合、各外殻材と太陽電池とをそれぞれ分離させる、という分離作業は不要である。よって、その分、太陽光発電パネルの再生利用のための作業も容易にできる。
【００２０】
請求項２の発明は、上記非接着とされた上記外殻材の内面と太陽電池との間にガス層を形成している。
【００２１】
このため、上記ガス層により、太陽光発電パネルによる断熱性や防音効果が効果的に向上する。
【００２２】
請求項３の発明は、上記スペーサをパイプ製とし、このスペーサの内部に、上記太陽電池の出力端子部材を収容可能としている。
【００２３】
このため、上記両外殻材、スペーサ、および太陽電池の組み合わせ体の外方に上記出力端子部材が突出する、ということが防止される。よって、上記太陽光発電パネルの搬送や設置などの取り扱い時に、この太陽光発電パネルの構成部品である上記出力端子部材が他の物体と接触して破損する、ということは防止される。よって、この破損防止に留意しないで足りる分、太陽光発電パネルの取り扱いが容易にできる。
【００２４】
請求項４の発明は、上記空間に向けて光を照射する発光体を設けている。
【００２５】
このため、上記発光体により光を照射させると、この光は、直接に、もしくは間接に上記太陽光発電パネルの外部に向かわされる。よって、上記太陽光発電パネルは直接、間接の照明器具として利用できる。
【発明を実施するための最良の形態】
【００２６】
本発明の太陽光発電パネルに関し、太陽光発電パネルの成形作業や、再生利用のための作業が容易にできるようにする、という目的を実現するため、本発明を実施するための最良の形態は、次の如くである。
【００２７】
即ち、太陽光発電パネルは、互いに対面し、少なくとも一方が透明体とされる一対の外殻材と、これら両外殻材の間に空間が生じるようこれら両外殻材の各外縁部の間に介設されるスペーサと、上記空間を密閉させるよう上記各外殻材の外縁部とスペーサとの間に介設されるシール材と、上記両外殻材の各内面のうち、少なくともいずれか一方の内面に対し非接着の状態で、上記空間に設置される太陽電池とを備えている。
【実施例１】
【００２８】
本発明をより詳細に説明するために、その実施例１を添付の図１−５に従って説明する。
【００２９】
図２において、符号１はほぼ平坦で矩形状の太陽光発電パネルである。この太陽光発電パネル１は、水平面に沿って多数並設され、枠体２などにより構築物などの静止側部材に設置されている。
【００３０】
図１−５において、上記太陽光発電パネル１は、互いに平行にかつ少し離れて対面する一対の外殻材４，５と、これら両外殻材４，５の間に偏平な空間６が生じるようこれら両外殻材４，５の各外縁部の間に介設されるスペーサ７と、上記空間６を密閉させるよう上記各外殻材４，５の外縁部とスペーサ７との間に介設されるシール材８とを備えている。上記両外殻材４，５はほぼ水平に延び、これらのうちの一方の外殻材４は太陽光Ｓが照射される屋外側に位置し、他方の外殻材５は屋内に向かって対面し、室の一部の壁を構成している。
【００３１】
また、上記太陽光発電パネル１は、上記空間６に設置される板形状の太陽電池９を備えている。この太陽電池９は、上記両外殻材４，５の内面のうち、少なくともいずれか一方の内面に対し非接着の状態とされている。具体的には、上記太陽電池９は、上記一方の外殻材４の内面（下面）に接着材１０により接着されている。一方、上記太陽電池９は、他方の外殻材５の内面（上面）から離間させられて、これら５，９の間には空気層であるガス層１１が形成されている。
【００３２】
なお、上記太陽電池９は、上記一方の外殻材４に対し非接着とし、図３，４中、一点鎖線で示すように、他方の外殻材５の内面に接着させてもよい。また、上記ガス層１１は、Ｎ２やＣＯ２ガスによるものであってもよい。また、上記ガス層１１を設けないで、上記太陽電池９を他方の外殻材５の内面に当接させてもよい。更に、上記太陽電池９は、上記各外殻材４，５のいずれにも接着させないで、単に、上記空間６に収容させ、上記他方の外殻材５の内面（上面）に載置させるだけでもよい。
【００３３】
また、上記太陽光発電パネル１は、上記太陽電池９の電極から延出した出力電線１２を備えている。この出力電線１２の延出端部である出力端子部材１３には、は外部の電気機器１４である入力電線の入力端子部材１５がハンダ付けにより結合される。
【００３４】
上記外殻材４，５は、ガラスやプラスチック製の透明板で構成されている。また、上記スペーサ７は、上記各外殻材４，５の外縁部に沿って長く延びる樹脂製の角パイプとされている。上記スペーサ７の長手方向の中途部には乾燥材１８が充填されている。上記スペーサ７の中途部の内部を上記空間６に連通させる連通孔１９が形成されている。この連通孔１９を通し、上記乾燥材１８により空間６が乾燥され、湿度が常時低く抑制されている。
【００３５】
上記スペーサ７の長手方向の端部２１の内部に、上記出力電線１２の出力端子部材１３が、この出力端子部材１３に結合された入力端子部材１５と共に全体的に収容されている。上記スペーサ７の端部２１の内部を太陽光発電パネル１の外方に向かって開く切り欠き２２が上記端部２１に形成されている。また、上記切り欠き２２を開閉可能に閉じるカバー体２３が設けられ、このカバー体２３は、上記端部２１に一体的に形成されている。なお、上記カバー体２３は図１−５中、一点鎖線で示すように上記スペーサ７とは別体に設けてもよい。
【００３６】
上記両外殻材４，５の各外縁部の端部とスペーサ７とで囲まれた空間と、上記スペーサ７の端部２１の内部とには、それぞれシリコン製の他のシール材２５が充填されている。
【００３７】
上記スペーサ７の一部には、上記空間６に向けて光を照射するＬＥＤ製の発光体２７が複数取り付けられている。また、上記外殻材４，５の面方向で、上記スペーサ７の一部と対向するスペーサ７の他部における空間６側の面には光の反射体２９が取り付けられている。この反射体２９は銀色板状体やフィルムで構成される。上記発光体２７の電源は、上記太陽電池９の発電によるものであってもよい。
【００３８】
上記太陽光発電パネル１の成形作業につき説明すると、まず、上記一方の外殻材４に太陽電池９を接着させる。次に、上記両外殻材４，５の各外縁部の間にスペーサ７を挟んで、これら４，５，７を互いに連結させる。この際、上記出力電線１２の出力端子部材１３を上記スペーサ７の端部２１の内部、もしくはこの端部２１の外部近傍に配置する。次に、上記出力端子部材１３の周りを除き、上記両外殻材４，５の外縁部の端部の間に上記シール材２５を充填する。すると、上記太陽光発電パネル１の成形作業が終わる。
【００３９】
そして、上記太陽光発電パネル１の使用に際しては、この太陽光発電パネル１を静止側部材に枠体２により設置する。この際、上記カバー体２３を開動作させる（図１，３，５中、二点鎖線）。これにより、上記スペーサ７の端部２１の内部空間と、上記切り欠き２２を通し上記端部２１の内部空間と連通するこの端部２１の外部空間とが作業空間として利用できる。よって、上記出力端子部材１３への電気機器１４の入力端子部材１５への結合が容易にできる。
【００４０】
次に、上記切り欠き２２を通して上記スペーサ７の端部２１にシール材２５を充填し、上記切り欠き２２をカバー体２３で閉じれば、上記太陽光発電パネル１の設置作業が終わる。
【００４１】
上記太陽光発電パネル１の発電作用は、前記「背景技術」で説明したことと同様である。
【００４２】
上記構成によれば、互いに対面し、少なくとも一方が透明体とされる一対の外殻材４，５と、これら両外殻材４，５の間に空間６が生じるようこれら両外殻材４，５の各外縁部の間に介設されるスペーサ７と、上記空間６を密閉させるよう上記各外殻材４，５の外縁部とスペーサ７との間に介設されるシール材８と、上記両外殻材４，５の各内面のうち、少なくともいずれか一方の内面に対し非接着の状態で、上記空間６に設置される太陽電池９とを備えている。
【００４３】
このため、上記太陽光発電パネル１の成形作業をするとき、両外殻材４，５の各内面にそれぞれ太陽電池９を接着させる、ということは不要となる。よって、その分、太陽光発電パネル１の成形作業が容易にできる。
【００４４】
また、上記太陽光発電パネル１の処分時に、これを再生しようとする場合、各外殻材４，５と太陽電池９とをそれぞれ分離させる、という分離作業は不要である。よって、その分、太陽光発電パネル１の再生利用のための作業も容易にできる。
【００４５】
また、前記したように、非接着とされた上記外殻材４，５の内面と太陽電池９との間にガス層１１を形成している。
【００４６】
このため、上記ガス層１１により、太陽光発電パネル１による断熱性や防音効果が効果的に向上する。
【００４７】
また、前記したように、スペーサ７をパイプ製とし、このスペーサ７の長手方向の中途部に乾燥材１８を充填して、上記スペーサ７の中途部を上記空間６に連通させ、上記スペーサ７の端部２１の内部に、上記太陽電池９の出力端子部材１３を全体的に収容可能としている。
【００４８】
このため、上記両外殻材４，５、スペーサ７、および太陽電池９の組み合わせ体の外方に上記出力電線１２の出力端子部材１３が突出する、ということは、より確実に防止される。よって、上記太陽光発電パネル１の搬送や設置などの取り扱い時に、この太陽光発電パネル１の構成部品である上記出力電線１２の出力端子部材１３が他の物体と接触して、破損する、ということが、より確実に防止される。よって、この破損防止に留意しないで足りる分、太陽光発電パネル１の取り扱いが、より容易にできる。
【００４９】
また、前記したように、空間６に向けて光を照射する発光体２７を設けている。
【００５０】
このため、上記発光体２７により光を照射させると、この光は、直接に、および一方の外殻材４に接着された太陽電池９と発光体２７とで反射して間接に室内に向かわされる。もしくは、上記光は、他方の外殻材５に接着された太陽電池９を透過して間接に室内に向かわされる。よって、上記太陽光発電パネル１は直接、間接の照明器具として利用できる。
【００５１】
なお、以上は図示の例によるが、太陽光発電パネル１は傾斜面や垂直面に沿って設けてもよい。また、上記他方の外殻材５は不透明であってもよい。また、上記外殻材４，５に対する太陽電池９の接着は、接着材１０によらずに、蒸着などにより直接に接着させてもよい。また、上記出力電線１２の出力端子には入力端子部材１５との結合を容易にさせるソケットなどの出力器具を設けておいてもよく、この場合、この出力器具は上記出力端子部材１３に含まれる。また、上記スペーサ７の長手方向の中途部の内部に、上記出力端子部材１３を全体的に収容可能としてもよい。
【００５２】
以下の図６は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００５３】
本発明をより詳細に説明するために、その実施例２を添付の図６に従って説明する。
【００５４】
図６において、上記空間６の厚さ方向の中途部に、通光性網製のリテーナ３２が配置され、このリテーナ３２は、上記スペーサ７に隣り合うよう設置されたブラケット３３により支持されている。そして、上記リテーナ３２に上記太陽電池９が載置、もしくは掛止、連結などされて支持されている。
【００５５】
なお、以上は図示の例によるが、上記リテーナ３２はフィルムなどの膜体であってもよい。また、上記外殻材４，５を可撓性のある膜体として、全体的に収縮、膨張可能とし、上記空間６に空気などの圧縮ガスを封入することにより膨張させるようにしてもよい。
【図面の簡単な説明】
【００５６】
【図１】実施例１を示し、図２の部分拡大部分断面図である。
【図２】実施例１を示し、太陽光発電パネルの平面部分破断図である。
【図３】実施例１を示し、図２の３−３線矢視断面図である。
【図４】実施例１を示し、図２の４−４線矢視断面図である。
【図５】実施例１を示し、図１で示した部分の斜視図である。
【図６】実施例２を示し、図３に相当する図である。
【符号の説明】
【００５７】
１    太陽光発電パネル
４    外殻材
５    外殻材
６    空間
７    スペーサ
８    シール材
９    太陽電池
１０  接着材
１１  ガス層
１２  出力電線
１３  出力端子部材
１４  電気機器
１５  入力端子部材
１８  乾燥材
２１  端部
２７  発光体
【図１】
2006261230.tif 000003
【図２】
2006261230.tif 000004
【図３】
2006261230.tif 000005
【図４】
2006261230.tif 000006
【図５】
2006261230.tif 000007
【図６】
2006261230.tif 000008